(57)【特許請求の範囲】
【請求項１】
紙葉束の周囲に巻き回した結束帯を引き締めることで前記紙葉束を結束する結束装置であって、
前記結束帯の引き締め時に前記紙葉束を前記結束帯の側辺に沿って紙葉積層方向に圧縮する圧縮部材を有し、
該圧縮部材に、前記結束帯の引き締め時に該結束帯と接触する最外層の紙葉表面の端辺の近傍で該紙葉表面を押圧する第１の圧縮部と、前記第１の圧縮部に対し前記結束帯の巻き締め方向の内側で前記紙葉表面を押圧する第２の圧縮部とが形成されていることを特徴とする結束装置。
【請求項２】
前記圧縮部材は、前記紙葉束の圧縮開始時に、前記第１の圧縮部が前記紙葉表面に接触するタイミングと、前記第２の圧縮部が前記紙葉表面に接触するタイミングとが異なるようにしたことを特徴とする請求項１記載の結束装置。
【請求項３】
前記圧縮部材は、前記圧縮開始時に、前記第１の圧縮部が前記第２の圧縮部より先に前記紙葉表面に接触するようにしたことを特徴とする請求項２記載の結束装置。
【請求項４】
前記圧縮部材は、結束方向に沿って前記紙葉表面に当接する長尺部材からなり、該長尺部材が当接する前記紙葉表面の端部付近に切欠部が形成され、該切欠部の両端が、前記第１の圧縮部及び第２の圧縮部を構成していることを特徴とする請求項１〜３のいずれか１項記載の結束装置。
【請求項５】
前記圧縮部材は、前記第１の圧縮部による圧縮量が前記第２の圧縮部による圧縮量より大きくなるよう形成されていることを特徴とする請求項４記載の結束装置。
【請求項６】
前記圧縮部材は、結束帯の両側辺に沿って平行な配置で一対設けられていることを特徴とする請求項１〜５のいずれか１項記載の結束装置。
【発明の詳細な説明】
【技術分野】
【０００１】
本発明は、ループを形成した結束帯で被結束物を結束する結束装置に関する。
【背景技術】
【０００２】
紙葉束の周囲に巻き回した結束帯を引き締めることで前記紙葉束を結束する結束装置として、水平な載置台上に紙葉束を載置し、載置台を囲むように載置台に対し直立して設けられたガイドに沿って結束帯を送り出して、載置台および紙葉束の周りに結束帯のループを形成し、そのループを形成した結束帯をガイドの開放により解放して、後端部を引き戻すことにより、結束帯を引き締め、ループ径を小さくして紙葉束に結束帯を密着させ、結束帯の始端部と終端部を溶着して、紙葉束を結束するようにしたものが従来から知られている（例えば、特許文献１参照。）。
【先行技術文献】
【特許文献】
【０００３】
【特許文献１】特許第３３５２０１７号公報
【発明の概要】
【発明が解決しようとする課題】
【０００４】
しかし、このような従来の結束装置では、紙葉束の周囲に巻き回した結束帯を引き締める時に、摩擦により、紙葉束の最外層及びその近傍の紙葉の端部に、めくり方向の分力が作用し、それが、結束帯に接触する最外層及びその近傍の紙葉の端部がめくれるように折り曲がる現象（コバ折れ）の発生要因になる。
【０００５】
本発明は、このように結束帯の巻き締め時に、結束帯に接触する最外層及びその近傍の紙葉の端部がめくれるように折り曲がるのを防止することを目的とする。
【課題を解決するための手段】
【０００６】
本発明の結束装置は、紙葉束の周囲に巻き回した結束帯を引き締めることで紙葉束を結束する結束装置であって、結束帯の引き締め時に紙葉束を結束帯の側辺に沿って紙葉積層方向に圧縮する圧縮部材を有し、該圧縮部材に、結束帯の引き締め時に該結束帯と接触する最外層の紙葉表面の端辺の近傍で該紙葉表面を押圧する第１の圧縮部と、第１の圧縮部に対し結束帯の巻き締め方向の内側で紙葉表面を押圧する第２の圧縮部とが形成されていることを特徴とする。
【０００７】
この結束装置は、結束帯の引き締め時に、圧縮部材の第１の圧縮部により最外層の紙葉表面の端辺の近傍で該紙葉表面を押圧し、第２の圧縮部により第１の圧縮部より巻き締め方向の内側で紙葉表面を押圧することで、紙葉束端部の表面付近が、第１の圧縮部と第２の圧縮部の間で、結束帯と交差する方向に延びる凸条を形成するように盛り上がり、それにより、紙葉束の端部表面が結束帯の長手方向に盛り上がるのを防止することができ、圧縮状態に維持されるため、結束帯に接触する最外層及びその近傍の紙葉の端部がめくれるように折り曲がる現象（コバ折れ）を防止することができる。
【０００８】
この結束装置において、圧縮部材は、紙葉束の圧縮開始時に、第１の圧縮部が紙葉表面に接触するタイミングと、第２の圧縮部が紙葉表面に接触するタイミングとが異なるように構成するのがよく、例えば、圧縮開始時に、第１の圧縮部が第２の圧縮部より先に紙葉表面に接触するようにするのがよい。
【０００９】
このように第１の圧縮部が紙葉表面に接触するタイミングと、第２の圧縮部が紙葉表面に接触するタイミングとが異なるように構成することで、先に接触する圧縮部によって紙幣に撓みが生じ、その撓みが、後で接触する圧縮部との間で挟まれる状態になって、結束帯と交差する方向の凸条が形成されやすくなる。
【００１０】
また、この結束装置において、圧縮部材は、結束方向に沿って紙葉表面に当接する長尺部材からなるもので、該長尺部材が当接する紙葉表面の端部付近に切欠部が形成され、該切欠部の両端が、第１の圧縮部及び第２の圧縮部を構成しているものとするのがよい。
【００１１】
この場合、圧縮部材は、結束方向に沿って紙葉表面に当接して、紙葉束全体を圧縮保持する動作と、第１の圧縮部と第２の圧縮部とで紙葉表面を押圧して、最外層及びその近傍の紙葉の端部がめくれるように折り曲がる現象（コバ折れ）を防止する動作を、一つの部材で同時に行うことができ、部材追加によるコストアップを回避できる。
【００１２】
また、この圧縮部材は、第１の圧縮部による圧縮量が第２の圧縮部による圧縮量より大きくなるよう形成されているのがよい。
【００１３】
このように第１の圧縮部による圧縮量が第２の圧縮部による圧縮量より大きくなるよう形成されていることで、まず、第１の圧縮部による圧縮で紙葉端部から内側へ向けて撓みが生じ、その撓みが、内側の第２の圧縮部によって挟まれる形となって、結束帯と交差する方向の凸条が形成されやすい。
【００１４】
また、この結束装置において、圧縮部材は、結束帯の両側辺に沿って平行な配置で一対設けられているのがよい。
【００１５】
このように、圧縮部材が、結束帯の両側辺に沿って平行な配置で一対設けられることで、結束帯と交差する方向の凸条が形成されやすくなる。
【発明の効果】
【００１６】
このように、本発明の結束装置によれば、結束帯に接触する最外層及びその近傍の紙葉の端部がめくれるように折り曲がる現象（コバ折れ）を防止することができる。
【図面の簡単な説明】
【００１７】
【図１】本発明の実施形態の一例に係る結束装置の全体斜視図である。
【図２】図１の結束装置の内部構造及び動作を示す図で、（ａ）は結束待機時の概略図、（ｂ）は結束テープ引き戻し時の概略図である。
【図３】図１の結束装置のゲート機構の構造及び動作を示す図で、長手方向結束動作時の斜視図である。
【図４】図１の結束装置のゲート機構の構造及び動作を示す図で、（ａ）は長手方向結束動作時の正面図、（ｂ）は幅方向結束動作時の正面図である。
【図５】図１の結束装置のゲート機構の設置状態を示す図で、（ａ）は正面視概略図、（ｂ）は側面視概略図である。
【図６】図１の結束装置のゲート機構のループガイドの構造及び動作を示す図で、（ａ）は閉鎖時の断面図、（ｂ）は開放時の断面図である。
【図７】図１の結束装置の保持機構の前押さえ及び側辺押さえの構造および動作を示す平面図である。
【図８】図１の結束装置の保持機構の側辺押さえの金種別動作を示す図で、（ａ）は千円紙幣結束時の平面図、（ｂ）は二千円紙幣結束時の平面図、（ｃ）は五千円紙幣結束時の平面図、（ｄ）は一万円紙幣結束時の平面図である。
【図９】図１の結束装置の保持機構の前押さえ、側辺押さえ、及び後押さえの構造及び動作を示す平面図である。
【図１０】図１の結束装置の保持機構の回転保持体の側面図である。
【図１１】図１の結束装置の切断溶着機構の構成を示す概略図である。
【図１２】図１の結束装置の切断溶着機構の動作を示す図で、（ａ）は結束待機時の概略図、（ｂ）は第１押さえ上昇時（第１段階）の概略図、（ｃ）は第１押さえ上昇時（第２段階）の概略図、（ｄ）は第２押さえ上昇時の概略図、（ｅ）は第３押さえ上昇時の概略図、（ｆ）は切断溶着時の概略図である。
【図１３】図１の結束装置の押圧部材（ガイド機構）の構造を示す図で、（ａ）は全体斜視図、（ｂ）は前部及び後部のカバーを取り去った状態で示す斜視図、（ｃ）は前部カバーを取り去った状態で示す正面図である。
【図１４】図１の結束装置の下押さえ（ガイド機構）及び第２押さえの基本動作を模式的に示す図で、（ａ）はテープ送り出し中の退避状態の説明図、（ｂ）はテープ巻き締め中の一段上昇状態の説明図、（ｃ）はテープ押さえ中の二段上昇状態の説明図である。
【図１５】図１の結束装置の下押さえ（ガイド機構）の基本動作を模式的に示す図で、（ａ）は長手結束時の動作の説明図、（ｂ）は短手結束時の動作の説明図である。
【図１６】図１の結束装置の上押さえ（圧縮部材）の拡大正面図である。
【図１７】図１の結束装置の上押さえ（圧縮部材）の基本動作を比較例と対比して模式的に示す図で、（ａ）は比較例による圧縮状態の正面図、（ｂ）は比較例による圧縮状態の端面図、（ｃ）は本実施形態の上押さえ（圧縮部材）による圧縮状態の正面図、（ｄ）は本実施形態の上押さえ（圧縮部材）による圧縮状態の端面図である。
【発明を実施するための形態】
【００１８】
図１〜図１７は本発明の実施形態の一例を示している。この実施形態の結束装置は、主に同一金種の紙幣を複数枚積み重ねて束ねた小束をさらに複数束積み重ねて一まとめの紙幣の大束Ａとした直方体形状の被結束物を、熱によって溶着可能な結束帯Ｂ（接着可能なテープ状の帯封紙）を巻き付けて長手方向及び幅方向の十文字に結束するための結束装置である。この結束装置は、図１に示すように可搬箱型の装置本体１を有する。そして、図２に示すように、この結束装置の装置本体１の内部には、上部に、大束Ａの結束動作を行うための結束機構２が設けられ、下部に、結束帯Ｂを収納して上部の結束機構２へ送り出す収納送り出し機構３が設けられている。
【００１９】
装置本体１下部の収納送り出し機構３は、円筒状に巻かれた結束帯Ｂを収納する収納部３０１と、大束Ａに結束帯Ｂを巻き付ける際に巻き戻した結束帯Ｂを一時的に保留する保留部３０２を有し、収納部３０１と保留部３０２との間と、保留部３０２と装置本体１上部の結束機構２との間に、結束帯Ｂが搬送される下部搬送路３０３を有している。
【００２０】
収納部３０１は、円筒状に巻かれた結束帯Ｂの束を収納受け面の中央部に起立して設けられた支持回転部３０５に差し込んで、回転可能に支持した状態で収納するもので、収納受け面の上部が鉛直方向に対して装置本体１の後方側へ傾いた斜めの状態で設定されている。収納部３０１がこのように斜めに設けられていることで、結束帯Ｂを取り替える際に、円筒状に巻かれた結束帯Ｂの束を支持回転部３０５に引っ掛けるようにして結束帯Ｂの中心部を位置決めすることができ、取り替えを容易に行える。なお、収納部３０１の下部所定位置には、結束帯Ｂが所定の巻き量以下となった時に利用者に結束帯Ｂの残量が少なくなっていることを知らせるニアエンプティセンサ（図示せず）が設けられている。
【００２１】
保留部３０２は、上面開放の箱形状で、結束動作時に先立って、収納部３０１に収納された円筒状に巻かれた結束帯Ｂの束から予め所定量の長さだけ結束帯Ｂを引き出して保留部３０２に一時保留することで、結束動作時に結束帯Ｂを送り出す際の負荷を小さくするとともに、後述のように結束帯Ｂを装置本体１上部の結束機構２にて紙幣の大束Ａに巻き付けるよう引き戻して引き締めるときの引き戻した分の結束帯Ｂを一時保留するためのものである。
【００２２】
下部搬送路３０３は、下部搬送ガイド３０４によって形成されたもので、その下部搬送路３０３は、通路幅については、結束帯Ｂの幅方向の通路幅（横幅）が結束帯Ｂの横幅よりも少し大きく、結束帯Ｂの厚み方向の通路幅（厚み幅）も、結束帯Ｂの通過に支障の無い十分な間隔ができる大きさで、結束帯Ｂがスムーズに搬送されるようになっている。
【００２３】
そして、下部搬送路３０３に沿って結束帯Ｂを搬送するよう、保留部３０２と装置本体１上部の結束機構２との間の距離をおいた２箇所に、下部搬送路３０３内に臨むように駆動ローラ３０７が設置されるとともに、収納部３０１と保留部３０２との間の１箇所に、下部搬送路３０３内に臨むように駆動ローラ３０８が設置されている。これらの駆動ローラ３０７、３０８は、正回転することで、結束帯Ｂを装置本体１上部の結束機構２へと送り出す。また、保留部３０２と結束機構２との間に設置された駆動ローラ３０７のみが逆回転可能で、これが逆回転することで、結束帯Ｂを引き戻し、後述のように結束帯Ｂを大束Ａの周囲に密着させる。
【００２４】
また、保留部３０２と装置本体１上部の結束機構２との間の下部搬送路３０３には、駆動ローラ３０７のほかに、結束帯Ｂに日付や結束する紙幣の種類、店舗名等の結束情報を押印するスタンプ機構４、結束情報を印刷する印字機構５がそれぞれ設けられている。
【００２５】
スタンプ機構４は、保留部３０２と装置本体１上部の結束機構２との間の駆動ローラ３０７よりも結束帯Ｂを結束機構２へ向けて送り出す結束帯送り出し方向上流側の下部搬送ガイド３０４の所定位置に結束帯Ｂの横幅より小サイズのスタンプ進退用のスタンプ孔（図示せず）を設け、このスタンプ孔の位置に合わせて下部搬送ガイド３０４の側方に、進退可能なスタンプ（図示せず）を有しインクを充填可能なスタンプユニット４０２を設置したもので、スタンプユニット４０２のスタンプをスタンプ孔から下部搬送路３０３内へ突入させて結束帯Ｂに押印し、押印後はスタンプをスタンプ孔から退出させて待機させ、次にまた突入させて結束帯Ｂに押印できるようになっている。
【００２６】
印字機構５は、保留部３０２と装置本体１上部の結束機構２との間の駆動ローラ３０７よりも結束帯送り出し方向上流側の下部搬送ガイド３０４の側方所定位置に印字ユニット５０１を設け、下部搬送路３０３を挟んで印字ユニット５０１と対向する位置にプラテン板６（板状のプラテン）を設けたものである。
【００２７】
印字ユニット５０１は、下部搬送路３０３内の結束帯Ｂに対して進退可能で、下部搬送路３０３内に突出することで結束帯Ｂの帯面にインクリボンを使って結束情報の文字を印刷する印字ヘッド（図示せず）を備えている。
【００２８】
保留部３０２と結束機構２との間に設置された駆動ローラ３０７は、印字機構５およびスタンプ機構４よりも結束帯送り出し方向下流側に位置している。そのため、印字機構５およびスタンプ機構４の位置では、結束帯Ｂが下部搬送路３０３内で引っ張られて緊張した状態となり、スタンプの押印および印字をスムーズに行える。
【００２９】
また、装置本体１上部の結束機構２は、大束Ａを結束するための結束空間７を有し、この結束空間７内で大束Ａの周囲を囲むように結束帯Ｂをループ状にして待機させるためのゲート機構１５と、ゲート機構１５の下方位置に設けられ、ゲート機構１５により形成された結束帯Ｂのループを巻き戻して大束Ａの周囲に密着させた後、切断および溶着を行う切断溶着機構８と、結束空間７内のゲート機構１５の前方及び後方から大束Ａを所定位置に固定保持すると共に、大束Ａの長手方向又は幅方向の一方の結束を行った後、他方の結束を行うために大束Ａを９０度回転させて保持する保持機構９とで構成されている。
【００３０】
そして、装置本体１の上部前面には、結束空間７の前方位置に、外部から被結束物である紙幣の大束Ａを投入するための開口である大きく開いた投入口１０が設けられており、その投入口１０の前面底部から装置本体１の外部へ張り出すように、結束に備えて紙幣等の被結束物を一時的に置くためのテーブル１１が設けられている。また、装置本体１の上部前面には、投入口１０の上方に、電源ボタン３３、表示部３４、スタートボタン３５等が設けられている。
【００３１】
また、投入口１０の奥の結束空間７の内部下方には、図５に示すように大束Ａを載置する載置面を有する載置台１２が、投入口１０側である装置本体１の前側から結束空間７の奥側に向かって下方へ傾斜するように設けられている。そして、載置台１２には、所定位置に大束Ａを置いたときの大束Ａの底面の前後方向のほぼ中央部である結束位置に対応する前後方向の中央部に、結束帯Ｂを載置台１２の左右横方向全域に渡って載置台１２を横切って通過させて大束Ａの周囲に密着させるための左右方向に長いガイド溝１３が形成されている。
【００３２】
ゲート機構１５は、結束空間７の内部の、載置台１２の左右方向に長いガイド溝１３の前後に渡る位置に、ガイド溝１３に平行で且つ載置台１２の載置面に対し略垂直な平面に沿って、下方部で載置台１２のガイド溝１３の左右方向の中央部付近に、後述の切断溶着機構８を進退させる切欠穴１６となる隙間を空けた状態で、載置台１２の周囲の下方、左側方、上方、右側方、そして再度下方へと、結束空間７内でループ状にぐるりと載置台１２の周囲を取り囲むように、装置本体１の前面側から見て略四角形状に形成されたループガイド１５１（結束帯ガイド）を備えている。
【００３３】
ループガイド１５１は、ループガイド１５１内に搬送路１５２（図６参照）を形成するもので、該搬送路１５２のループ内側の壁面と装置本体前方側の側壁を形成して、結束帯Ｂのループ内側のテープ面と結束帯Ｂの装置本体前方側の側縁部とを保持し、載置台１２の載置面に対して平行に装置本体前方側へスライド移動可能な断面Ｌ字形状の内側ループガイド１５３と、ガイド溝１３の設けられている位置でガイド溝１３に平行且つ載置台１２の載置面に対し略垂直に固定され、ループガイド１５１内の搬送路１５２のループ外側の壁面と装置本体後側の側壁を形成して、結束帯Ｂのループ外側の面と結束帯Ｂの装置本体後側の側縁部とを保持する断面Ｌ字形状の外側ループガイド１５４とからなり、内側および外側の２つのループガイド１５３、１５４が合わさることで、図６の（ａ）に示すように、結束帯Ｂが通過可能な断面長方形状の搬送路１５２を形成する。
【００３４】
なお、図示の例では、ループガイド１５１は装置本体１の前面から見て略四角形状のループを形成しているが、ループガイド１５１は装置本体１の前面から見て略円形のループを形成するものであってもよい。
【００３５】
ゲート機構１５は、図３に示すように内側ループガイド１５３および外側ループガイド１５４を組み込んだ一つのユニットとなっている。そして、このゲート機構１５のユニットには、装置本体１の前側から見てループガイド１５１の左右方向略全域に渡る大きさの棒状部（長尺部材からなる圧縮部材）を有する上押さえ１７が、載置台１２のガイド溝１３の位置で、ループガイド１５１の搬送路１５２の幅寸法（搬送される結束帯Ｂの幅方向の寸法）よりやや広い間隔で前後に並んで、ガイド溝１３に平行で且つ載置台１２の載置面に対し略垂直な平面に沿い、ループガイド１５１の左右方向略全域に渡って上下に動作するよう組み込まれ、また、これら内側ループガイド１５３、外側ループガイド１５４、上押さえ１７を駆動する駆動モータ１４が設置されている。
【００３６】
ループガイド１５１は、内側ループガイド１５３が、駆動モータ１４によって装置本体１の前側から見て奥側へ載置台１２の載置面に対して平行に（搬送路１５２のループ内側の壁面が搬送路１５２のループ外側の壁面に対して平行に）スライド移動することにより、図６の（ａ）に示すように、外側ループガイド１５４と内側ループガイド１５３が合わさって、ループガイド１５１の搬送路１５２を形成する。また、内側ループガイド１５３が、駆動モータ１４によって載置台１２の載置面に対して平行に装置本体１前方側へスライド移動することにより、図６の（ｂ）に示すように、ループガイド１５１の搬送路１５２のループ内側の壁面が開放され、結束テープＢがループ内側へ解放される。
【００３７】
また、図２に示すように、ルーフガイド１５１のループ四隅には、搬送路１５２内に臨むように補助ローラ１５５が設けられている。これらの補助ローラ１５５は、駆動モータ１４によって回転駆動される。結束帯Ｂはループガイド１５１内へ送り込まれる際にこれらの補助ローラ１５５の回転によって誘導され、スムーズに送り込まれる。
【００３８】
そして、このゲート機構１５のユニットは、装置本体１内の結束空間７の前方から見て奥側に向かって下方へ傾斜する載置台１２の載置面に対してループガイド１５１が略垂直になるように、載置台１２の傾斜と同様に結束空間７の奥側へ向かって下方へ傾倒した状態で設置されている。ループガイド１５１内に送り込まれている結束帯Ｂは、自重で外側ループガイド１５４の装置本体１後方側の側壁に当接した状態で保持されていて、内側ループガイド１５３がスライド移動してループガイド１５１の搬送路１５２が開放されたときには、自重で外側ループガイド１５４の装置本体１後方側の側壁に当接しつつ、載置台１２に載置されている大束Ａの所定結束位置でガイド溝１３に平行で且つ載置台１２に対し略垂直な平面に沿って、ゆっくりと大束Ａの所定結束位置へと落下する。
【００３９】
また、保持機構９は、図７に示すように、結束空間７の前部の左右側方位置（投入口１０とループガイド１５１との間のループガイド１５１の左右側方付近）に設けられて、載置台１２の載置面に長手方向を左右に向けて載置された被結束物である大束Ａの載置面に対して起立する側面の一つである大束Ａの前面の左右側縁部付近を保持する一対の前押さえ１８（側面保持体）と、載置台１２の載置面に長手方向を左右に向けて載置された被結束物である大束Ａの載置面に対して起立する側面の内の互いに隣接する二つの側面である大束Ａの前面と左右側面が接する前面側左右の側辺にそれぞれ斜め側方から当接して該側辺を押さえる一対の側辺押さえ１９（側辺保持体）を備え、また、図９に示すように、結束空間７の後部の左右側方部（ループガイド１５１の後方の左右側方部）に、大束Ａの後面の左右側縁部付近を保持すると共に大束Ａの左右側面の後方側縁部付近を保持する一対の後押さえ２０を備え、また、結束空間７の後部で左右方向の中央付近（ループガイド１５１の後方で左右方向の中央付近）に、前後方向に進退可能で、前押さえ１８と後押さえ２０がそれぞれ保持位置から退避して開放位置にある時に図９に示すように大束Ａを前面中央部付近と後面中央部付近とで挟み込む形で挟持固定し、載置台１２の載置面に対して垂直な軸線を中心に大束Ａを９０度回転させる回転保持体２２を備えている。
【００４０】
前押さえ１８は、結束空間７の前部の左右側方位置に設置される前押さえ台座部１８５と、各前押さえ台座部１８５に保持された駆動モータ１８６と、各前押さえ台座部１８５の先端部分に載置台１２の載置面に対して垂直な回転軸１８４を介して回転可能に設けられ、駆動モータ１８６で回転する前押さえ基部１８３と、大束Ａの前面の左右側縁部付近の大束Ａの高さ方向の略全域に当接して大束Ａを前方から保持固定する前保持平面１８１を有し、各前押さえ基部１８３の先端側に取り付けられて、前押さえ基部１８３の回転により大束Ａを前方から保持固定する前保持位置へ移動可能な前保持部材１８２とからなっている。
【００４１】
前押さえ１８は、前押さえ基部１８３が、結束空間７の前部で前保持部材１８２の前保持平面１８１によって長手方向を左右に向けて載置された大束Ａの前面の左右側縁部付近を保持固定するとともに、側辺押さえ部材１８２によって大束Ａの前面側左右の側辺を保持固定する前保持位置と、結束空間７の左右側方部付近（ループガイド１５１左右側方付近）まで回動退避して、大束Ａの前面と前面側左右の側辺を開放する前開放位置との間でほぼ９０度の回動が可能で、駆動モータ１８６の回転力で大束Ａの前面の左右側縁部付近を高さ方向の略全域に渡って保持する保持力を発生させている。
【００４２】
また、側辺押さえ１９は、大束Ａの側辺を保持するための側辺保持平面１９１を備える側辺保持部材１９２と、側辺保持部材１９２を載置台１２の載置面に対して垂直な軸線で回動可能に軸支する回転軸１９３と、側辺保持部材１９２を大束Ａの前面側左右の側辺へ向かう方向（結束空間７の前側から奥側へ向かう方向）へ回転させる方向へ付勢するバネ部材１９４とからなるもので、側辺保持部材１９２を回転可能に軸支する回転軸１９３が、前押さえ１８の前保持部材１８２に支承されている。そして、前保持部材１８２が前固定位置へ移動したときに、側辺保持部材１９２の側辺保持平面１９１が大束Ａの前面側左右の側辺に当接し、バネ部材１９４の付勢力で長手方向を左右に向けて載置された大束Ａの前面側左右の側辺を押さえて保持固定する。
【００４３】
側辺保持部材１９２は、長手方向を左右に向けて載置された大束Ａの前面側左右の側辺に当接する際に、大束Ａの前面側左右の側辺の位置に応じて、バネ部材１９４の付勢力により、あるいは付勢力に抗して回転し、大束Ａの前面側左右の側辺を側辺保持平面１９１上で滑らせるようにして移動する。そのため、載置台１２の載置面に載置した大束Ａの装置本体前側から見て左右の長さが種々異なっても、側辺保持平面１９１の一部で大束Ａの前面側左右の側辺を高さ方向の略全域に渡って保持固定することができる
【００４４】
なお、この実施形態では、前押さえ１８の前保持部材１８２は、前押さえ基部１８３に固定しているが、これは、被結束物が紙幣束である場合、現紙幣は金種によらず短辺側の幅寸法が同一であるためで、短辺側の幅寸法が種々異なる被結束物を結束するのに使用する場合は、前保持部材１８２を、載置台１２の載置面に対して垂直な軸線の回転軸により前押さえ基部１８３に回転可能に軸支すると共に、前保持部材１８２を被結束物の前面の左右側縁部付近へ向けてバネ部材で付勢するようにしてもよい。そうすることで、被結束物の前後（奥行き）方向の幅寸法に合わせて前保持部材１８２を回転させ、前固定位置で常に被結束物の前面の左右側縁部付近を高さ方向の略全域に渡って保持するようにできる。
【００４５】
その際、前保持部材１８２の回転可能範囲は、前保持部材１８２の前保持平面１８１が、前押さえ基部１８３が前固定位置に位置した時に、前後方向の幅寸法が最も小さい種類の被結束物の前面側の左右側縁部付近を高さ方向の略全域に渡ってしっかりと保持可能なように、前後方向の幅寸法が最も短い種類の被結束物の前面と前保持平面１８１がほぼ平行になる位置から、結束空間７の前側（投入口側）へ向けて回動可能とする。これにより、駆動モータ１８６の回転で前押さえ基部１８３を前保持位置と前開放位置へ選択的に回転移動させることができると共に、前保持位置へ回転移動した時に、バネ部材の付勢力によって前保持部材１８２を被結束物の前面の左右側縁部付近を高さ方向の略全域に渡って押圧保持することができ、被結束物の前後（奥行き方向）の幅寸法によっては、バネ部材の付勢に対抗して前保持部材１８２を前方側にいくらか回転させるようにして、被結束物の奥行き方向の幅寸法の大きさが種々異なっても、前保持位置では前保持平面１８１の一部で被結束物を前面側からしっかりと保持できるようになる。
【００４６】
また、左右の後押さえ２０は、それぞれ、後端部を回転可能に軸支された後押さえ基部２０４と、その後押さえ基部２０４の前端部に前後に並ぶ配置で取り付けられた３枚の板バネからなる後保持部２０１とを有する。後保持部２０１の３枚の板バネは、一番前側の板バネが、長手方向を左右に向けて載置された大束Ａの左右両側面の後縁部付近を高さ方向の略全域に渡って板バネの先端部で板バネの反発力により押圧保持する後側方保持部材２０２であり、その後側の板バネが、後側方保持部材２０２よりも結束空間７の中央に近い位置まで突出して、板バネ材の前側平面部分で大束Ａの後面の左右側縁部付近を高さ方向の略全域に渡って板バネの反発力により押圧保持する後面保持部材２０３であり、一番後側の板バネが、大束Ａを長手方向を左右に向けた状態から９０度回転させ後の大束Ａの左右側面（長辺側の側面）の後縁部付近に当接する位置まで突出して、その９０度回転させ後の大束Ａの左右側面の後縁部付近を高さ方向の略全域に渡って板バネの先端部で板バネの反発力により押圧保持する長手後押さえ部材２０５である。
【００４７】
そして、これら左右の後押さえ２０は、通常は、後方の後保持位置で待機していて、回転保持体２２が前進するときに、回転保持体２２の前進に合わせて徐々に左右の後押さえ基部２０４の前端部の互いの間隔が開いていって、回転保持体２２の回転動作時の邪魔にならない開放状態となる後開放位置（大束Ａを９０度回転させる時に、後側方保持部材２０２と後面保持部材２０３がぶつからない位置まで左右外方向へ開いた位置）に移動し、回転保持体２２の後退に合わせて徐々に左右の後押さえ基部２０４の前端部の互いの間隔が狭まっていって、大束Ａの後部を保持する後保持位置に移動するように、左右の後押さえ基部２０４が回転固定体２２とリンク部材（図示せず）でリンク結合されている。つまり、左右の後押さえ基部２０４に、前端側へいくにしたがって徐々に結束空間７の中央側へ曲がったリンク溝（図示せず）が形成されて、このリンク溝に両端が嵌まり込んだリンク部材の中央部が回転固定体２２に取り付けられ、回転固定体２２の前進に合わせて後開放位置に移動し、後退にあわせて後保持位置に移動するようになっている。
【００４８】
駆動モータ２２５の動作によって回転保持体２２が後退すると、それに伴って後押さえ基部２０４の前端部が結束空間７の中央側へ移動して左右から閉じていき、後側方保持部材２０２の先端部が大束７の長辺側の左右両側面の後縁部付近の高さ方向の略全域に当接すると共に、後面保持部材２０３の平面部が大束Ａの後面の左右側縁付近の高さ方向の略全域に当接する後保持位置となり、また、駆動モータ２２５の動作によって回転保持体２２が前進すると、それに伴って後押さえ基部２０４の前端部が結束空間７の左右側方側へ移動して開いていき、後側方保持部材２０２の先端部が大束Ａの長辺側の左右両側面の後縁部付近の高さ方向の略全域から離れると共に、後面保持部材２０３の平面部が大束７の後面の左右側縁付近の高さ方向の略全域から離れて、大束７の後部を開放し、回転保持体２２の回転動作時の邪魔にならない後開放位置となる。
【００４９】
被結束物である大束Ａを載置台１２の所定位置へ置く際には、後押さえ２０は後保持位置で待機していて、大束Ａの位置決め用ガイドを兼ねるため、スムーズに大束Ａを所定位置へ載置することができる。
【００５０】
後面保持部材２０３は、後押さえ２０が後保持位置にあるときに、大束Ａの後面の側縁部付近を保持する前側平面部分が、結束空間７の所定位置（長手方向を左右に向けて載置される大束Ａの短辺と直交する長手方向の中心線と、ループガイド１５１の搬送路１５２のループ中央線とが、載置台１２の載置面に対する同一の左右方向垂直平面上に位置する場所）に載置される大束Ａの後面に当接する位置に設けられる。これにより、被結束物である大束Ａを長手方向を左右に向けて載置台１２の載置面に載置する際に、大束Ａを左右の後側方保持部材２０２の間に嵌め込むようにして後面保持部２０３に押し当てて載置台１２に載置することで、大束Ａの長手方向の中央部分がガイド溝１３の位置となる所定位置へ載置することができる。
【００５１】
後面保持部材２０３と後側方保持部材２０２は、板バネでできているため、結束する大束Ａの寸法が多少異なっていても板バネの弾力で変形し反発力によって大束Ａの後面の側縁付近と左右側面の後縁付近をそれぞれ押圧保持できる。
【００５２】
回転保持体２２は、図１０に示すように、載置台１２の載置面に対して垂直な軸線を有する回転軸２２１を中心に９０度回転する回転保持基部２２２と、回転保持基部２２２を前後に移動させる駆動モータ２２５と、回転保持基部２２２の後側に固定されて、回転保持基部２２２が前進した時に、載置台１２の載置面に長手方向を左右に向けて載置された被結束物である大束Ａの後面中央部付近に当接する後保持部材２２３と、回転保持基部２２２の前側に上下方向へ回動可能に取り付けられて、通常は、図１０に破線で示すように上方へ退避した位置にあって、回転保持基部２２２が前進して、後保持部材２２３が大束Ａの後面中央部付近に当接した後、モータ（図示せず）の回転により下方へ回動して大束Ａの前面中央部付近に当接して大束Ａ挟持固定する前保持部材２２４とからなっている。
【００５３】
大束Ａは、まず、載置台１２の載置面に長手方向を左右に向けて載置し、長手方向の中心線に沿って結束帯Ｂで結束する。そして、大束Ａの長手方向の中心線に沿った結束が終了すると、前押さえ１８を前押さえ基部１８３が前保持位置から退避して前開放位置へ移動させ、回転保持体２２を駆動モータ２２５によって前進させて、後保持部材２２３を大束Ａの後面中央部付近に当接させる。それに伴い、後押さえ２０は回転保持体２２の前進移動に連動して後保持位置から退避して後開放位置に移動する。そして、回転保持体２２の前保持部材２２４を上方の退避位置から下方へ回動させて大束Ａの前面中央部付近に当接させ、前保持部材２２４と後保持部材２２３とで大束Ａを挟持固定し、その後、回転軸２２１を回転させて大束Ａを９０度回転させる。そして、前保持部材２２４を上方向へ回転移動させて大束Ａの前面中央部を開放し、回転保持体２２を再び後方へ退避させる。そうすることで、後押さえ２０が後保持位置へと移動し、大束Ａは、９０度回転して、載置台１２の載置面に長手方向を前後に向けて載置された状態となる。このとき、後押さえ２０の後押さえ基部２０４に取り付けてある長手後押さえ部材２０５によって、９０度回転させ後の大束Ａの左右側面の後縁部付近が高さ方向の略全域に渡って押圧保持され、位置ズレが防止される。
【００５４】
また、切断溶着機構８は、上記のように載置台１２のガイド溝１３の左右方向の中央部付近に位置するゲート機構１５の切欠穴１６の下方に設けられ、ゲート機構１５により形成された結束帯Ｂのループを巻き戻して大束Ａの周囲に密着させた後、切断および溶着を行うもので、図１１に示すように、結束帯Ｂの溶着を行うヒータ２４と、結束帯Ｂの切断を行うカッター２３と、結束帯Ｂを押さえて保持する第１押さえ部材２５、第２押さえ部材２７および第３押さえ部材２８と、結束帯巻き戻し時に結束帯Ｂに接触する最外層及びその近傍の紙幣の端面がめくれるように折り曲がる現象（コバ折れ）を防止するよう結束帯Ｂを挟んで大束Ａの底面端部付近を押圧する下押さえ４０（押圧機構）と、これらを駆動する駆動モータ２９と、駆動モータ２９により回転し、第１押さえ部材２５、第２押さえ部材２７、下押さえ４０、第３押さえ部材２８、ヒータ２４およびカッター２３をそれぞれの動作タイミングで駆動させる駆動偏心カム３０ａ〜３０ｅを有するカム駆動機構３０とからなっている。そして、結束帯Ｂを下部搬送路３０３からループガイド１５１の左下端部へと導く間の搬送経路に、下部搬送路３０３側から、第１押さえ部材２５および第３押さえ部材２８、カッター２３、ヒータ２４、第２押さえ部材２７、下押さえ４０の順に並んでいる。
【００５５】
また、載置台１２のガイド溝１３の位置には、後方から前方へ進退可能に突出する第１仕切り板３１と第２仕切り板３２が設けられている。第１仕切り板３１と第２仕切り板３２が共に前方へ突出したとき、これら２つの仕切り板３１、３２とガイド溝１３とで、ループガイド１５１の右下端部から送り出される結束帯Ｂを切欠孔６の中央部まで案内してループ状にするためのガイドの一部が形成される。また、結束動作前や結束完了後で、切断溶着機構８が動作を行わないときには、外部から結束機構２を触れることができないように、第２仕切り板３２がガイド溝１３の下方で前方に突出し、安全蓋の役目をする。
【００５６】
第１押さえ部材２５は、上下方向にスライド移動可能で、第１押さえ部材２５上面部と第１仕切り板３１の下面とで、ループガイド１５１の右下端部から送り出された結束帯Ｂの先端部近傍を挟持することで保持固定することができる。
【００５７】
また、第１押さえ部材２５には、下部搬送路３０３から送られてきた結束帯Ｂを通過させる結束帯テープ通路２６が形成されている。下部搬送路３０３側から送られてきた結束帯Ｂは、この結束帯通路２６を通過し、カッター２３、ヒータ２４および第２押さえ部材２７の上方で第２仕切り板３２との間を通過して、ループガイド１５１の左下端部へと送り込まれ、ループガイド１５１内の搬送路１５２に沿って送られて、先端部がループガイド１５１の右下端部から第１仕切り板３１と第２仕切り板３２の間の第２押さえ部材２７の上方となる位置まで送り出され、結束帯Ｂの、第１押さえ部材２５の結束帯通路２６の搬送方向下流側で第１押さえ部材２５と第２押さえ部材２７の間に位置している部分と、第１仕切り板３１と第２仕切り板３２の間の第２押さえ部材２７の上方となる位置まで送り出された先端部とが重畳した状態でループを形成する。
【００５８】
第３押さえ部材２８は、第１押さえ部材２５の結束帯通路２６内に上下方向へスライド移動可能に設けられており、第３押さえ部材２８が上昇したときに、第１押さえ部材２５内の結束帯通路２６の天井部と第３押さえ部材２８の上面とによって、結束帯通路２６内で結束帯Ｂの上流側部分が挟持されて保持固定される。
【００５９】
第２押さえ部材２７は、上下方向にスライド移動可能で、第２押さえ部材２７の上面と第１仕切り板３１の下面とで、ループガイド１５１の右下端部から送り出されて第１仕切り板３１と第２仕切り板３２の間の第２押さえ部材２７の上方に位置している結束帯Ｂの先端部と、下部搬送路３０３からループガイド１５１の左下端部へ向けて送り出されて第１押さえ部材２５の結束帯通路２６の搬送方向下流側で第１押さえ部材２５と第２押さえ部材２７の間に位置している部分とを重ね合わせた状態で挟持して保持固定する。
【００６０】
ヒータ２４は、上下方向へスライド移動可能で、結束帯Ｂの重畳している部分を第１仕切り板３１の下面との間に挟持するようにヒータ２４を押し付け、ヒータ２４の熱によって結束テープＢを溶着することができるようになっている。
【００６１】
カッター２３は、上下方向へスライド移動可能で、第１押さえ部材２５と第３押さえ部材２８で挟持されている部分と、第２押さえ部材２７と第１仕切り板３１とで挟持されている部分で結束帯Ｂを、第１押さえ部材２５に近接する位置で押し切って切断することができるようになっている。
【００６２】
なお、第１押さえ部材２５、第２押さえ部材２７、下押さえ４０、第３押さえ部材２８、ヒータ２４、およびカッター２３の上下方向とは、装置本体１の奥側に向かって下方へ傾斜する載置台１２の載置面に対し垂直な方向という意味である。
【００６３】
これら第１押さえ部材２５、第２押さえ部材２７、下押さえ４０、第３押さえ部材２８、ヒータ２４、およびカッター２３は、カム駆動機構３０のそれぞれの駆動偏心カム３０ａ〜３０ｅに駆動連結されている。
【００６４】
そして、図１２の（ａ）に示す結束待機状態で、スタートボタン３５が押されて、駆動モータ２９により駆動されて駆動偏心カム３０が回転することにより、図１２の（ｂ）に示すように、第１押さえ部材２５が上方へスライド動作して（このとき、第２仕切り板３２は後退する）、ループガイド１５１の右下端部から送り出される結束帯Ｂの先端部近傍をループガイド１５１の右下端部近傍で保持する。
【００６５】
そして、ループガイド１５１が開放された後、結束帯Ｂが巻き戻されるのに先立って、図１２の（ｃ）に示すように、下押さえ４０と第２押さえ部材２７が一体に上方へスライド動作して第１段階の上昇位置まで上昇して、第２押さえ部材２７は大束Ａの底面との間に結束帯Ｂを引き戻し可能な隙間を残した状態で、下押さえ４０のみが、結束帯Ｂを挟んだ状態で大束Ａの底面端部付近を押圧する。この状態で結束帯Ｂが巻き戻され、巻き締められる。
【００６６】
そして、結束帯Ｂが巻き戻された後、さらに駆動モータ２９が回転し、駆動偏心カム３０が回転することにより、図１２の（ｄ）に示すように、下押さえ４０と第２押さえ部材２７がさらに上方へスライド動作して、第２段階の上昇位置まで上昇し、ループを形成している結束帯Ｂの先端部と、その下方で重畳する結束帯Ｂを重ね合わせた状態で保持する。その際、下押さえ４０の上部（プレート部４０２、ベアリング部４０８）は、既に結束帯Ｂを挟んで大束Ａの底面に当接しているので、連結バネ４０３が圧縮され、第２押さえ部材２７が結束帯Ｂを挟んで大束Ａに底面に当接する位置までスライド上昇する。
【００６７】
そして、さらに駆動偏心カム３０の回転が続くことにより、図１２の（ｅ）に示すように、第３押さえ部材２８が上方へスライド動作して、第１押さえ部材２５のテープ通路２６内で結束帯Ｂを保持固定する。
【００６８】
そして、さらに駆動偏心カム３０が回転することにより、図１２の（ｆ）に示すように、カッター２３及びヒータ２４が上方へスライド動作して、切断および溶着が行われ、最後に切断溶着機構８の全ての部材が下方へスライド移動するという順番となり、駆動偏心カム３０を駆動モータ２９によって動作させることで、順番に切断溶着機構の動作を行わせることができる。
【００６９】
下押さえ４０は、第２押さえ部材２７と共に、駆動モータ２９により回転するカム駆動機構３０の同一の駆動偏心カム３０ｅによって上下方向に第１段階と第２段階の二段階にスライド移動可能である。そして、そのスライド移動による第１段階の上昇位置では、第２押さえ部材２７は大束Ａの底面との間に結束帯Ｂを引き戻し可能な隙間を残して、結束帯巻き戻し時のコバ折れを防止するために、下押さえ４０のみが、結束帯Ｂを挟んだ状態で大束Ａの底面を押圧する。そして、第１段階の上昇位置よりさらに上昇した第２段階の上昇位置では、下押さえ４０と第２押さえ部材２７とが、共に、結束帯Ｂを挟んだ状態で大束Ａの底面を押圧する。また、結束帯送り出し時は、下押さえ４０は下方へ退避させる。
【００７０】
この結束装置では、紙幣の大束Ａが、上押さえ１７と前押さえ１８および側辺押さえ１９と後押さえ２０とで、載置台１２の所定位置に保持固定された状態で、ループガイド１５１の右下端部から送り出されている結束帯Ｂの先端部近傍がループガイド１５１の右下端部近傍で、第１押さえ部材２５により第１仕切り板３１との間に保持固定された後、ループガイド１５１が開放されて、結束帯Ｂが引き戻されることで、大束Ａに巻き回されている結束帯Ｂが巻き締められる。その際、巻き締められる結束帯Ｂが大束Ａに密着して動くと、摩擦により、大束Ａの最下層及びその近傍の紙幣の、巻き戻し方向前側（図では左側）の端部に、めくり分力が作用し、それがコバ折れ（結束テープＢに接触する最外層及びその近傍の紙幣の端面がめくれるように折り曲がる現象）が発生する要因になる。
【００７１】
このコバ折れを防止するために、下押さえ４０が設けられている。巻き締め時には、下押さえ４０が第１段階の上昇位置に保持されて、結束帯Ｂを挟んだ状態で大束Ａの底面を押圧することにより、大束Ａの最下層の紙幣の、巻き戻し方向前側（図では左側）の端部に作用するめくり方向の分力を極力小さくし、コバ折れの発生を防止することができる。
【００７２】
この実施形態では、下押さえ４０は、第２押さえ部材２７と一体に構成されている。下押さえ４０は、第２押さえ部材２７を含む切断溶着機構８とは別の独立した機構としてもよく、駆動機構も独立したものとしてもよいが、この実施形態のように下押さえ４０を第２押さえ部材２７と一体に構成し、第２押さえ部材２７を含む切断溶着機構８の一部として、一つの駆動源（駆動モータ２９）により駆動することで、駆動機構を簡略化できる。
【００７３】
下押さえ４０（ガイド機構）は、詳細には、例えば図１３に示すように、ベース部４０１とプレート状の平面ガイド部４０２とを、一対の圧縮バネ４０３を挟んで連結した構造とされている。
【００７４】
圧縮バネ４０３は、ベース部４０１のビス穴４０９とプレート部４０２のビス穴４１０から内側に向けて挿通したビス４１４により位置決めされている。
【００７５】
そして、ベース部４０１には、上部前後に、垂直に起立した一対の折り曲げ部４０４が形成され、その前後一対の折り曲げ部４０４に、支持軸４０５（回転中心軸）が挿通されている。
【００７６】
そして、前部カバー４０６及び後部カバー４０７には、中央部に上向きに開口した切欠４１１が形成され、前部カバー４０６と後部カバー４０７は、それらの切欠４１１に支持軸４０５の両端を挿入した状態でベース部４０１に取り付けられている。
【００７７】
そして、それら前部カバー４０６及び後部カバー４０７は、それぞれ上部が水平方向に折り曲げられており、平面ガイド部４０２の上部のネジ穴４１２から挿通されたネジ４１３によって、平面ガイド部４０２に連結固定されている。
【００７８】
また、前部カバー４０６及び後部カバー４０７には、それぞれ、一端側が相互に対向して斜め上方へ延設部が設けられ、それら延設部が対向し、複数個（図の例では５個）のローラからなるベアリングガイド部４０８を回転可能に軸支している。
【００７９】
平面ガイド部４０２は、圧縮バネ４０３によりベース部４０１に対して上方向に付勢され、切欠４１１と軸４０５の係合により規制されているだけで、支持軸４０５を中心に回動可能であり、切欠４１１に沿って上下にスライド可能で、また、前後方向にも揺動可能である。
【００８０】
ループガイド１５１の下方端部付近には、内側ループガイド１５３及び外側ループガイド１５４に、下押さえ４０がスライド移動するときにループガイド１５１が干渉しないよう、下押さえ４０を通過させるのに十分な大きさの通し穴１５５が形成されている（図３参照）。
【００８１】
通常動作では、下押さえ４０が第１段階の上昇位置にスライド移動するとき（図１２の（ｃ）の状態）には、ループガイド１５１は、内側ループガイド１５３は前方へスライド移動されて、ループガイド１５１が開放した状態となり、下押さえ４０と内側ループガイド１５３が干渉することはないため、内側ループガイド１５３の通し穴１５５は必要でなく、外側ループガイド１５４のみに通し穴１５５があればよい。しかし、下押さえ４０の動作テスト等のために、ループガイド１５１が閉鎖された状態でも下押さえ４０をスライド移動させたい場合がある。そのため、内側ループガイド１５３にも通し穴１５５が形成されている。
【００８２】
そして、その通し穴１５５は、結束テープＢが、ループガイド１５１に送り出される時に、引っかからないでスムーズに搬送路１５２に入るように、テープ送り出し方向の先端側の穴端部が、送り出し時のテープ進行方向に尖がった形状とされている。そして、この通し穴１５５の形状に合わせて、下押さえ４０のプレート部４０２が形成されている。
【００８３】
下押さえ４０及び第２押さえ部材２７をスライド移動させるカム駆動機構３０のカム３０ｅは、第１段階と第２段階のスライド移動を行うためにカム面の高さが二段階に形成されており、下押さえ４０は、第２押さえ部材２７と共に、カム３０ｅによって、上下方向に第１段階と第２段階の二段階にスライド移動可能となっている。
【００８４】
巻き締め時に紙幣の端部折れ（コバ折れ）を防止するためには、下押さえ４０によって大束Ａの底面端部を確実に押圧し、結束帯Ｂの引っ張り方向を可能な限り水平方向に維持する必要がある。その反面、結束帯Ｂと下押さえ４０との摩擦力および結束帯Ｂと大束Ａとの摩擦力が、結束帯Ｂの巻き戻し力を上回らないようにする必要もある。これらの条件を満たすように、第１段階の上昇位置および下押さえ４０の連結バネ４０３の強さ等が調整される。
【００８５】
下押さえ４０（ガイド機構）及び第２押さえ部材２７の動作は基本的に図１４に示すとおりである。なお、図１４は、基本動作を説明する模式図であって、機構自体は簡略化して記載している。
【００８６】
図１４の（ａ）に示すように、結束帯Ｂが送り出される時は、下押さえ４０及び第２押さえ部材２７は、大束Ａの底面との間に結束帯を自由に通すよう下方に下がった退避位置にある。
【００８７】
そして、カム３０ｅが回転すると、図１４の（ｂ）に示すように、下押さえ４０及び第２押さえ部材２７は、カム３０ｅの第１段階のカム面により押し上げられてスライド移動し、第１段階の上昇位置に保持されて、第２押さえ部材２７は大束Ａの底面との間に結束帯Ｂを引き戻し可能な隙間を残し、下押さえ４０のみが、結束帯巻き締め時のコバ折れを防止するよう、結束帯Ｂを挟んだ状態で大束Ａの底面を押圧する。大束Ａを一周した結束帯Ｂが、先端部が第１押さえ部材２５（図示せず）により保持された状態で、巻き締めのために巻き戻される。
【００８８】
そして、カム３０ｅがさらに回転すると、図１４の（ｃ）に示すように、下押さえ４０及び第２押さえ部材２７は、カム３０ｅの第２段階のカム面により押し上げられてスライド移動し、第１段階の上昇位置よりさらに上昇した第２段階の上昇位置に保持されて、下押さえ４０と第２押さえ部材２７とが、共に、結束帯Ｂを挟んだ状態で大束Ａの底面を押圧する。
【００８９】
なお、図１４は上記のように簡略化して記載した模式図であって、この実施形態における結束装置の下押さえ４０及び第２押さえ部材２７の構造は、詳細には、図１１〜図１３に示すとおりであり、下押さえ４０については、平面ガイド部４０２に対して段差をもってベアリングガイド部４０８が設けられた構造であって、紙幣の大束Ａを長手方向と短手方向に十字結束する場合に、長手結束時は、下押さえ４０を平面ガイド部４０２とベアリングガイド部４０８を２箇所で結束帯Ｂを挟んで大束Ａの底面に接触させ、また、短手結束時は、結束帯Ｂを挟んでベアリングガイド部のみを大束Ａの底面に接触させるのであり、いずれの場合も、下押さえ４０は単に平面的に押さえるようにはならない。
【００９０】
下押さえ４０は、コバ折れ対策としては、平面的に押さえることで事足りるが、単に平面的に押さえたのでは、摩擦力が大きくなって、結束帯Ｂを巻き戻せなくなる恐れがある。特に、下押さえ４０（ガイド機構）が、図１４のように、単に大束Ａの底面と平行なガイド面を有するだけのものであると、長手結束と短手結束の両方に対応させようとしたときに、長手結束の際の接触面積が一段と大きくなり、摩擦力が大きくなって、結束帯Ｂを巻き戻せなくなる。そこで、下押さえ４０は、大束Ａの底面と平行なガイド面を有する平面ガイド部４０２と、複数個のローラからなるベアリングガイド部４０８を設けたものとし、この二つを段差をつけて配置することで、長手結束時には、図１５の（ａ）に示すように、下押さえ４０（ガイド機構）を平面ガイド部４０２とベアリングガイド部４０８の２箇所で接触させ、短手結束時には、図１５の（ｂ）に示すように、ベアリングガイド部４０８のみで一箇所で回転接触して押さえるようにしている。なお、図１５は、基本動作を説明する模式図であって、機構自体は簡略化して記載している。
【００９１】
また、下押さえ４０は、平面ガイド部４０２とベアリングガイド部４０８が、圧縮バネ４０３の伸縮により上下にスライド可能で、前後にも揺動可能であることにより、大束Ａの最下層の紙幣底面の位置に追従して、フレキシブルに押さえることができるようになっている。そのため、下押さえ４０が大束Ａの最下層の紙幣底面に追従してフレキシブルにスライド移動し、紙幣の質によって最下層の紙幣底面の位置が変動するのに対応して、大束Ａの底面との間に結束帯巻き戻しのための適正な間隔を保持することができる。また、ベアリングガイド部４０８が回転接触することで、結束帯Ｂの表面凹凸による騒音の発生を抑制することができる。
【００９２】
上押さえ１７は、図１６に示すように、横長板状の本体部１７１の上部を補強のために折り返した構造とされたもので、下辺が紙幣の大束Ａの上面に当接するよう形成されている。そして、その下辺は、全体として略水平で、中央に、被結束物である大束Ａの最大長さよりやや小さい幅にわたって、水平部と曲線部からなる実質なだらかな曲線状の、湾曲して上方に後退した凹部１７２が形成されている。そして、上押さえ１７には、凹部１７２の、結束帯Ｂの巻き締め時に最上層及びその近傍の紙幣の巻き戻し方向後側に当接する側の端部近傍（図では右側の端部）に、凹部１７２から更に上方に後退した第１の切欠部１７３が形成され、その同じ端部近傍で、第１の切欠部１７３と間隔を隔てた内側の位置に、凹部１７２から更に上方に、第１の切欠部１７３よりも更に後退した第２の切欠部１７４が形成されている。
【００９３】
これら第１の切欠部１７３及び第２の切欠部１７４を有する凹部１７２の具体的仕様は、例えば、現在の日本銀行券を扱う結束装置の場合、第１の切欠部１７３は、横幅ａが１７ｍｍで、下辺からの後退幅ｂが４ｍｍ、第１の切欠部１７３と第２の切欠部１７４との間の接続部１７５は、横幅ｃが２４ｍｍで、下辺からの後退幅ｄが２ｍｍ、第２の切欠部１７４は、横幅ｅが１３ｍｍで、下辺からの後退幅ｆが６ｍｍ、残りの凹部１７２の幅ｇは９３ｍで、凹部１７２全体の幅ｈが１４９ｍｍである。
【００９４】
この場合、大束Ａを横方向に置いたとき（長手結束時）は、図４の（ａ）に示すとおりで、大束Ａの上面右端は、上押さえ１７の下辺に対し、第１の切欠部１７３より右側６ｍｍ程度の位置に当接する。そして、大束Ａの上面左端の当接位置は、１万円券（横幅１６０ｍｍ）の場合は凹部１７２の左端から左側へ５ｍｍの位置、５千円券（横幅１５６ｍｍ）の場合は凹部１７２の左端から左側へ１ｍｍの位置、千円券（横幅１５０ｍｍ）の場合は凹部１７２の左端から右側へ５ｍｍの位置となる。
【００９５】
また、大束Ａを縦方向に置いたとき（短手結束時）は、図４の（ｂ）に示すとおりで、大束Ａの上面右端は、上押さえ１７の下辺に対し、第２の切欠部１７４より右側６ｍｍ程度の位置に当接する。そして、大束Ａの上面左端の当接位置は、凹部１７２左端から右側へ３６ｍｍの位置となる。現在の日本銀行券は、すべての金種で縦幅は共通（７６ｍｍ）である。
【００９６】
結束帯Ｂが巻き戻される時に、結束帯Ｂが大束Ａに密着して動くと、大束Ａには、最下層及びその近傍の巻き戻し方向前側（図では左側）の紙幣端部だけでなく、最上層及びその近傍の巻き戻し方向後側（図では右側）の紙幣端部にも、摩擦力によって、めくり方向の分力が作用する。そして、上押さえ１７に第１の切欠部１７３及び第２の切欠部１７４が無いと、図１７の（ａ）に示すように、一対の上押さえ１７によって、紙葉束（大束Ａ）を圧縮することで、図１７の（ｂ）に示すように、一対の上押さえ部材１７の間で、上面側の紙幣束が上押さえ１７に沿って結束帯Ｂの長手方向に紙幣束の端部まで盛り上がり、最上層及びその近傍の紙幣の端部がめくれやすい状態となる。それがコバ折れの要因となる。
【００９７】
この実施形態では、このような紙幣束（大束Ａ）の最上層及びその近傍の巻き戻し方向後側の紙幣端部にコバ折れが発生するのを、上記第１の切欠部１７３及び第２の切欠部１７４を有する上押さえ１７の形状によって防止している。
【００９８】
図１７の（ｃ）に示すように、一対の上押さえ１７によって、紙葉束（大束Ａ）を圧縮すると、図１７の（ｃ）に示すように、紙幣束表面の端部付近が盛り上がって、結束帯Ｂと交差する方向の凸条が形成される。これにより、紙幣束表面が、結束帯の長手方向に盛り上がるのを防止することができ、図１７の（ｄ）に示すように、紙幣束端部を圧縮状態に維持することができて、コバ折れを防止できる。
【００９９】
第１の切欠部１７３及び第２の切欠部１７４は、各切欠部の両端が、それぞれ第１の圧縮部及び第２の圧縮部を構成している。そして、それら第１の切欠部１７３及び第２の切欠部１７４の、それぞれの両端が構成する第１の圧縮部と第２の圧縮部は、図１７の（ｃ）に示すように、段差ｓがあり、圧縮開始時に、第１の圧縮部が第２の圧縮部より先に紙葉表面に接触する。そのため、先に接触する第１の圧縮部によって紙幣に撓みが生じ、その撓みが、後で接触する第２の圧縮部との間で挟まれる状態になって、結束帯と交差する方向の凸条が形成されやすくなる。
【０１００】
また、このように段差ｓがあることで、第１の圧縮部による圧縮量が第２の圧縮部による圧縮量より大きくなる。そのため、第１の圧縮部による圧縮で紙葉端部から内側へ向けて撓みが生じ、その撓みが、内側の第２の圧縮部によって挟まれる形となるため、結束帯と交差する方向の凸条が一層形成されやすくなる。
【０１０１】
そして、紙幣束端部の角部分に集中的に力が加わるため、圧縮量が大きくなり、結束力が増大する。
【０１０２】
また、圧縮部材を構成する上押さえ１７が、結束帯の両側辺に沿って平行な配置で、一対設けられていることで、結束帯Ｂと交差する方向の凸条が形成されやすくなる。
【０１０３】
また、こうして紙幣束上面端部のコバ折れ防止を、ガイド等の別部材を設けることなく、上押さえ１７を利用して行えるため、部材追加によるコストアップを回避できる。
【０１０４】
なお、図１７は、基本動作を説明する模式図であって、第１の機構自体は簡略化して記載している。また、図１７の（ｃ）及び（ｄ）は、第２の切欠部１７４の動作を示すものであるが、長手結束時の場合の第１の切欠部１７３の動作もこれと同様である。
【０１０５】
この実施形態の結束装置は、結束動作のモードとして、通常モードと低速モードを有し、それらを設定で切替えることが可能になっている。以下、通常モードと低速モードのそれぞれの基本的な動作を説明する。
【０１０６】
通常モードでは、装置本体１上部前面の電源ボタン３３を押すと、収納部３０１から所定長さだけ結束帯Ｂが、駆動ローラ３０８によって送り出されて貯留部３０２へ貯留され、更に、下部搬送路３０３を駆動ローラ３０７によって搬送されて、結束帯Ｂの先端部が第１押さえ部材２５の結束帯通路２６を通過し、カッター２３、ヒータ２４、第２押さえ部材２７の上方で第２仕切り板３２との間を通過して、ループガイド１５１の左下端部からループガイド１５１に送り込まれる。
【０１０７】
そして、その結束帯Ｂは、ループガイド１５１の左下端部から、左側方部、上方部、右側方部、右下端部へと送り込まれて、ループガイド１５１の右下端部から、第１仕切り板３１と第２仕切り板３２の間のガイド溝１３で、第２押さえ部材２７の上方付近の位置まで結束帯Ｂの先端部が送られ、その時点で駆動ローラ３０７、３０８が停止する。これにより、第１押さえ部材２５の結束帯通路２６の搬送方向下流側で第１押さえ部材２５と第２押さえ部材２７の間に位置している部分と、第１仕切り板３１と第２仕切り板３２の間の第２押さえ部材２７の上方となる位置まで送り出された先端部とが重畳した状態でループが形成される。これで結束可能な状態となる。そして、結束可能であることを表示部３４の表示やランプ等で知らせ、結束待機状態に入る。図２の（ａ）は、この結束待機状態を示している。
【０１０８】
結束待機状態で、利用者は、紙幣の束を上下方向に積み重ねた状態の大束Ａを、大束Ａの長手方向を左右に向けて、後押さえ２０の左右の後側方保持部材２０２の間で後面保持部材２０３に当接させて載置台１２の所定位置（ガイド溝１３に大束Ａの長手方向の中心線が重なる位置）に載置する。そして、結束スタートのスタートボタン３５を押下する。
【０１０９】
すると、ゲート機構１５のユニットの上部にある上押さえ１７が降下して、大束Ａを上方から押圧保持すると共に、結束空間７の前部にある前押さえ１８の前押さえ基部１８３が回転して、前保持部材１８２により大束Ａの前面の側縁付近を高さ方向の略全域に渡って保持し、前押さえ１８に付設されている側辺押さえ１９が大束Ａの前面側の左右側辺を高さ方向の略全域に渡って保持する。こうして、上押さえ１７と、前押さえ１８および側辺押さえ１９と、後押さえ２０とによって、大束Ａが所定位置に保持固定される。
【０１１０】
こうして大束Ａが保持固定されると、第２仕切り板３２を後退させて、切欠穴１６の下方を開放しつつ、駆動偏心カム３０を回転させて第１押さえ部材２５を上昇させ、ループガイド１５１の右下端部から送り出されている結束帯Ｂの先端部近傍をループガイド１５１の右下端部近傍で第１仕切り板３１との間に挟持して保持固定し、その後、ループガイド１５１の内側ループガイド１５３を前方へスライド移動させてループガイド１５１を開放する。
【０１１１】
すると、ループガイド１５１内の結束帯Ｂは自重で外側ループガイド１５４の後方側の側壁に案内されながら、大束Ａの結束位置へゆっくり降下し始める。そのときに、装置本体１下部のテープ保留部３０２と装置本体１上部の結束機構２の間の下部搬送路３０３の駆動ローラ３０７によって、ループを形成している結束帯Ｂを送り出し方向上流側へ引き戻す。すると、結束帯Ｂは、先端部が第１押さえ部材２５によって保持固定されている状態で引き戻されることにより、大束Ａの周囲の結束帯Ｂのループ径が小さくなって、大束Ａの周囲に密着する。図２の（ｂ）は、この結束帯Ｂを引き戻す動作を示している。
【０１１２】
その後、さらに駆動偏心カム３０が回転することによって、第２押さえ部材２７が上昇し、ループを形成している結束帯Ｂの先端部と、その下方に重畳する結束帯Ｂを重ね合わせた状態で第１仕切り板３１との間に挟持して保持固定し、さらに駆動偏心カム３０が回転して、第３押さえ部材２８が上昇し、第１押さえ部材２５のテープ通路２６内で結束帯Ｂを結束帯通路２６の天井部と第３押さえ部材２８との間に挟持して保持固定する。これにより、第２押さえ部材２７と第１押さえ部材２５との間で、結束帯Ｂが緊張した状態で保持固定される。
【０１１３】
そして、さらに駆動偏心カム３０が回転することにより、カッター２３が上昇して、第２押さえ部材２７と第１押さえ部材２５との間の、第１押さえ部材２５の近傍位置で、結束帯Ｂが切断され、次いで、ヒータ２４が上昇して、切断されて送り出し方向上流側から切り離されたループ状の結束帯Ｂの送り出し方向上流側の端部と、その上方に位置する結束帯Ｂの先端部との重畳部分をヒータ２４の熱により溶着固定する。
【０１１４】
そして、さらに駆動偏心カム３０が回転して、第１押さえ部材２５、第２押さえ部材２７、第３押さえ部材２８、ヒータ２４、カッター２３をそれぞれ降下させて、結束テープＢを開放し、その後、第１仕切り板３１を結束帯Ｂと大束Ａの下面との間から引き抜く。そして、前押さえ１８を回転させて前開放位置へ移動させると共に、上押さえ１８を上昇させて、大束Ａを開放する。これで、大束Ａの長手方向の結束が完了する。
【０１１５】
その後、内側ループガイド１５３を後側へスライド移動させてループガイド１５１を閉鎖し、ループガイド１５１の搬送路１５２を形成すると共に、第１仕切り板３１を突出させて切欠穴１６を塞ぎ、第２仕切り板３２も突出させて、第１仕切り板３１と第２仕切り板３２とで切欠穴１６の部分にループガイド１５１の右下端部から続く搬送路を再び形成する。
【０１１６】
つぎに、さらに大束Ａの長手方向の中央部において短辺に沿った方向の結束を行う場合は、まず、長手方向の結束の場合と同様に、収納部３０１から所定長さだけ結束帯Ｂが、駆動ローラ３０８によって送り出されて貯留部３０２へ貯留され、更に、下部搬送路３０３を駆動ローラ３０７によって搬送されて、結束帯Ｂの先端部が第１押さえ部材２５の結束帯通路２６を通過し、カッター２３、ヒータ２４、第２押さえ部材２７の上方で第２仕切り板３２との間を通過して、ループガイド１５１の左下端部からループガイド１５１に送り込まれる。
【０１１７】
そして、その結束帯Ｂは、ループガイド１５１の左下端部から、左側方部、上方部、右側方部、右下端部へと送り込まれて、ループガイド１５１の右下端部から、第１仕切り板３１と第２仕切り板３２の間のガイド溝１３で、第２押さえ部材２７の上方付近の位置まで結束帯Ｂの先端部が送られ、その時点で駆動ローラ３０７、３０８が停止する。これにより、第１押さえ部材２５の結束帯通路２６の搬送方向下流側で第１押さえ部材２５と第２押さえ部材２７の間に位置している部分と、第１仕切り板３１と第２仕切り板３２の間の第２押さえ部材２７の上方となる位置まで送り出された先端部とが重畳した状態でループが形成される。これで結束可能な状態となる。そして、結束可能であることを表示部３４の表示やランプ等で知らせ、結束待機状態に入る。
【０１１８】
そして、この状態で、回転保持体２２を前進させ、それに伴って後押さえ２０の後押さえ基部２０４を後開放位置まで回転移動させる。そして、回転保持体２２の後保持部材２２３が大束Ａの後面中央付近に当接したら、回転保持体２２の前保持部材２２４を上方から下方へ大束Ａの前面中央付近まで回転移動させて、前保持部材２２４と後保持部材２２３とで大束Ａを挟持し、次いで、回転保持基部２２２を反時計回りに９０度回転させて、大束Ａの長手方向が前後に向くようにする。
【０１１９】
そして、回転保持体２２の前保持部材２２４を上方へ回転移動させて、９０度回転前の前面であった大束Ａの長手方向の右側面を開放しつつ、回転保持体２２を後退させる。このとき、回転保持体２２は回転保持基部２２２を時計回りに回転させつつ後退させ、後退しきったときには、回転保持基部２２２が９０度時計回りに回転し終わって、元の向きとなる。
【０１２０】
そして、回転保持部材２２の後退に伴って、後押さえ２０が後保持位置へと回転移動する。すると、後押さえ２０の後押さえ基部２０４に設けてある長手後押さえ部材２０５の先端部が、９０度回転後の大束Ａの左右側面後方部に当接し、大束Ａを左右から保持する。そして、ゲート機構１５のユニットに組み込まれている上押さえ１７が降下して、大束Ａを上方から押圧固定する。そして、この状態で、長手方向の結束の場合と同様の結束動作が開始される。
【０１２１】
つまり、第２仕切り板３２を後退させて、切欠穴１６の下方を開放しつつ、駆動偏心カム３０を回転させて第１押さえ部材２５を上昇させ、ループガイド１５１の右下端部から送り出されている結束帯Ｂの先端部近傍をループガイド１５１の右下端部近傍で第１仕切り板３１との間に挟持して保持固定し、その後、ループガイド１５１の内側ループガイド１５３を前方へスライド移動させてループガイド１５１を開放する。
【０１２２】
すると、ループガイド１５１内の結束帯Ｂは自重で外側ループガイド１５４の後方側の側壁に案内されながら、大束Ａの結束位置へゆっくり降下し始める。そのときに、装置本体１下部の結束帯保留部３０２と装置本体１上部の結束機構２の間の下部搬送路３０３の駆動ローラ３０７によって、ループを形成している結束帯Ｂを送り出し方向上流側へ引き戻す。すると、結束帯Ｂは、先端部が第１押さえ部材２５によって保持固定されている状態で引き戻されることにより、大束Ａの周囲の結束帯Ｂのループ径が小さくなって、大束Ａの周囲に密着する。
【０１２３】
その後、さらに駆動偏心カム３０が回転することによって、第２押さえ部材２７が上昇し、ループを形成している結束帯Ｂの先端部と、その下方に重畳する結束帯Ｂを重ね合わせた状態で第１仕切り板３１との間に挟持して保持固定し、さらに駆動偏心カム３０が回転して、第３押さえ部材２８が上昇し、第１押さえ部材２５の結束帯通路２６内で結束帯Ｂを結束帯通路２６の天井部と第３押さえ部材２８との間に挟持して保持固定する。これにより、第２押さえ部材２７と第１押さえ部材２５との間で、結束帯Ｂが緊張した状態で保持固定される。
【０１２４】
そして、さらに駆動偏心カム３０が回転することにより、カッター２３が上昇して、第２押さえ部材２７と第１押さえ部材２５との間の、第１押さえ部材２５の近傍位置で、結束帯Ｂが切断され、次いで、ヒータ２４が上昇して、切断されて送り出し方向上流側から切り離されたループ状の結束帯Ｂの送り出し方向上流側の端部と、その上方に位置する結束帯Ｂの先端部との重畳部分をヒータ２４の熱により溶着固定する。
【０１２５】
そして、さらに駆動偏心カム３０が回転して、第１押さえ部材２５、第２押さえ部材２７、第３押さえ部材２８、ヒータ２４、カッター２３をそれぞれ降下させて、結束帯Ｂを開放し、その後、第１仕切り板３１を結束帯Ｂと大束Ａの下面との間から引き抜く。そして、前押さえ１８を回転させて前開放位置へ移動させると共に、上押さえ１８を上昇させて、大束Ａを開放する。これで、長手方向の中央部における短辺方向の結束が完了する。
【０１２６】
その後、内側ループガイド１５３を後側へスライド移動させてループガイド１５１を閉鎖し、ループガイド１５１の搬送路１５２を形成すると共に、第１仕切り板３１を突出させて切欠穴１６を塞ぎ、第２仕切り板３２も突出させて、第１仕切り板３１と第２仕切り板３２とで切欠穴１６の部分にループガイド１５１の右下端部から続く搬送路を再び形成することで、結束待機状態に戻る。これで、長手方向の中心線に沿った結束と、長手方向の中央部における短辺方向の結束の両方が完了となる。
【０１２７】
結束帯Ｂへの印字、押印については、設定により、大束Ａを長手方向に結束する部分に印字、押印するか、長手方向の中央部において短辺方向の結束する部分に印字、押印するかを選択できるようになっていて、その選択内容によって、印字、押印するタイミングを変える。
【０１２８】
長手方向に結束する部分に印字、押印する場合には、結束帯Ｂを最初にループガイド１５１に送り出す前に、印字、押印する所定位置において駆動ローラ３０７、３０８を停止させ、結束帯Ｂの搬送を止めて印字、押印する。
【０１２９】
押印の場合は、スタンプ機構４のスタンプをスタンプ孔から突出させて結束帯Ｂに押印し、押印が終わったら、スタンプをスタンプ孔から退避させる。そして、押印終了後に結束動作を開始する。
【０１３０】
また、印字の場合には、ソレノイド６０４によってプラテン板６を平面部６０２が印字ヘッド５０２側の搬送ガイド壁面と平行になるように接近させ、その後、印字ヘッド５０２を印字ヘッド孔５０５から結束テープＢを挟んでプラテン板６に押し付けて、結束帯Ｂに印字する。そして、印字が終わったら、印字ヘッド５０２を印字ヘッド孔５０５から退避させ、ソレノイド６０４によりプラテン板６を回転移動させて、印字ヘッド５０２側の搬送ガイド壁面から遠ざけて、結束帯Ｂの厚み方向の印字部搬送路５０３の幅を確保する。そして、印字終了後に結束動作を開始する。
【０１３１】
また、大束Ａを長手方向の中央部において短辺に沿った方向の結束する部分に印字、押印する場合は、長手方向の結束動作が終了した後、短辺に沿った方向の結束動作のための結束帯Ｂをループガイド１５１に送り出す前に、印字、押印する所定位置において駆動ローラ３０７、３０８を停止させ、結束帯Ｂの搬送を止めて印字、押印する。
【０１３２】
また、低速モードでは、通常モードと同じく、装置本体１上部前面の電源ボタン３３を押すと、収納部３０１から所定長さだけ結束帯Ｂが、駆動ローラ３０８によって送り出されて貯留部３０２へ貯留され、更に、下部搬送路３０３を駆動ローラ３０７によって搬送されて、結束帯Ｂの先端部が第１押さえ部材２５の結束帯通路２６を通過し、カッター２３、ヒータ２４、第２押さえ部材２７の上方で第２仕切り板３２との間を通過して、ループガイド１５１の左下端部からループガイド１５１に送り込まれる。
【０１３３】
そして、その結束帯Ｂは、ループガイド１５１の左下端部から、左側方部、上方部、右側方部、右下端部へと送り込まれて、ループガイド１５１の右下端部から、第１仕切り板３１と第２仕切り板３２の間のガイド溝１３で、第２押さえ部材２７の上方付近の位置まで結束帯Ｂの先端部が送られ、その時点で駆動ローラ３０７、３０８が停止する。これにより、第１押さえ部材２５の結束帯通路２６の搬送方向下流側で第１押さえ部材２５と第２押さえ部材２７の間に位置している部分と、第１仕切り板３１と第２仕切り板３２の間の第２押さえ部材２７の上方となる位置まで送り出された先端部とが重畳した状態でループが形成される。これで結束可能な状態となる。そして、結束可能であることを表示部３４の表示やランプ等で知らせ、結束待機状態（図２の（ａ）に示す）に入る。
【０１３４】
結束待機状態で、利用者は、紙幣の束を上下方向に積み重ねた状態の大束Ａを、大束Ａの長手方向を左右に向けて、後押さえ２０の左右の後側方保持部材２０２の間で後面保持部材２０３に当接させて載置台１２の所定位置（ガイド溝１３に大束Ａの長手方向の中心線が重なる位置）に載置する。そして、結束スタートのスタートボタン３５を押下する。
【０１３５】
すると、ゲート機構１５のユニットの上部にある上押さえ１７が降下して、大束Ａを上方から押圧保持すると共に、結束空間７の前部にある前押さえ１８の前押さえ基部１８３が回転して、前保持部材１８２により大束Ａの前面の側縁付近を高さ方向の略全域に渡って保持し、前押さえ１８に付設されている側辺押さえ１９が大束Ａの前面側の左右側辺を高さ方向の略全域に渡って保持する。こうして、上押さえ１７と、前押さえ１８および側辺押さえ１９と、後押さえ２０とによって、大束Ａが所定位置に保持固定される。
【０１３６】
こうして大束Ａが保持固定されると、第２仕切り板３２を後退させて、切欠穴１６の下方を開放しつつ、駆動偏心カム３０を回転させて第１押さえ部材２５を上昇させ、ループガイド１５１の右下端部から送り出されている結束帯Ｂの先端部近傍をループガイド１５１の右下端部近傍で第１仕切り板３１との間に挟持して保持固定し、その後、駆動偏心カム３０の動作を停止させる。そして、ループガイド１５１の内側ループガイド１５３を前方へスライド移動させてループガイド１５１を開放する。
【０１３７】
すると、ループガイド１５１内の結束帯Ｂは自重で外側ループガイド１５４の後方側の側壁に案内されながら、大束Ａの結束位置へゆっくり降下し始める。そのとき、所定時間（１〜数秒程度）の間、駆動モータ２９と駆動ローラ３０７の動作を完全に停止し、その後、装置本体１下部の保留部３０２と装置本体１上部の結束機構２の間の下部搬送路３０３の駆動ローラ３０７によって、ループを形成している結束帯Ｂを送り出し方向上流側へ引き戻す。このときの引き戻し速度は、通常のモードに比べてゆっくりとした速度とし、ゆっくりと引き戻し動作を行う。そして、結束帯Ｂは、先端部が第１押さえ部材２５によって保持固定されている状態で引き戻されることにより、大束Ａの周囲の結束テープＢのループ径が小さくなって、大束Ａの周囲に密着する手前の状態で、駆動ローラ３０７の引き戻し力の負荷が所定以上に大きくなると、駆動ローラ３０７の回転速度を通常モードの引き戻し速度まで速めるか、引き戻し力を強めて、結束帯Ｂを引き締める。これで、結束帯Ｂは大束Ａの周囲に密着した状態（図２の（ｂ）に示す）となる。そして、所定時間巻き締めを行った後、駆動偏心カム３０の動作を再開させる。
【０１３８】
そして、駆動偏心カム３０が回転することによって、第２押さえ部材２７が上昇し、ループを形成している結束帯Ｂの先端部と、その下方に重畳する結束帯Ｂを重ね合わせた状態で第１仕切り板３１との間に挟持して保持固定する。そして、さらに駆動偏心カム３０が回転して、第３押さえ部材２８が上昇し、第１押さえ部材２５の結束帯通路２６内で結束帯Ｂを結束帯通路２６の天井部と第３押さえ部材２８との間に挟持して保持固定する。これにより、第２押さえ部材２７と第１押さえ部材２５との間で、結束帯Ｂが緊張した状態で保持固定される。
【０１３９】
そして、さらに駆動偏心カム３０が回転することにより、カッター２３が上昇して、第２押さえ部材２７と第１押さえ部材２５との間の、第１押さえ部材２５の近傍位置で、結束帯Ｂが切断され、次いで、ヒータ２４が上昇して、切断されて送り出し方向上流側から切り離されたループ状の結束帯Ｂの送り出し方向上流側の端部と、その上方に位置する結束帯Ｂの先端部との重畳部分をヒータ２４の熱により溶着固定する。
【０１４０】
そして、さらに駆動偏心カム３０が回転して、第１押さえ部材２５、第２押さえ部材２７、第３押さえ部材２８、ヒータ２４、カッター２３をそれぞれ降下させて、結束帯Ｂを開放し、その後、第１仕切り板３１を結束帯Ｂと大束Ａの下面との間から引き抜く。そして、前押さえ１８を回転させて前開放位置へ移動させると共に、上押さえ１８を上昇させて、大束Ａを開放する。これで、大束Ａの長手方向の結束が完了する。
【０１４１】
その後、内側ループガイド１５３を後側へスライド移動させてループガイド１５１を閉鎖し、ループガイド１５１の搬送路１５２を形成すると共に、第１仕切り板３１を突出させて切欠穴１６を塞ぎ、第２仕切り板３２も突出させて、第１仕切り板３１と第２仕切り板３２とで切欠穴１６の部分にループガイド１５１の右下端部から続く搬送路を再び形成する。
【０１４２】
つぎに、さらに大束Ａの長手方向の中央部において短辺に沿った方向の結束を行う場合は、まず、長手方向の結束の場合と同様に、収納部３０１から所定長さだけ結束帯Ｂが、駆動ローラ３０８によって送り出されて貯留部３０２へ貯留され、更に、下部搬送路３０３を駆動ローラ３０７によって搬送されて、結束帯Ｂの先端部が第１押さえ部材２５の結束帯通路２６を通過し、カッター２３、ヒータ２４、第２押さえ部材２７の上方で第２仕切り板３２との間を通過して、ループガイド１５１の左下端部からループガイド１５１に送り込まれる。
【０１４３】
そして、その結束帯Ｂは、ループガイド１５１の左下端部から、左側方部、上方部、右側方部、右下端部へと送り込まれて、ループガイド１５１の右下端部から、第１仕切り板３１と第２仕切り板３２の間のガイド溝１３で、第２押さえ部材２７の上方付近の位置まで結束帯Ｂの先端部が送られ、その時点で駆動ローラ３０７、３０８が停止する。これにより、第１押さえ部材２５のテープ通路２６の搬送方向下流側で第１押さえ部材２５と第２押さえ部材２７の間に位置している部分と、第１仕切り板３１と第２仕切り板３２の間の第２押さえ部材２７の上方となる位置まで送り出された先端部とが重畳した状態でループが形成される。これで結束可能な状態となる。そして、結束可能であることを表示部３４の表示やランプ等で知らせ、結束待機状態に入る。
【０１４４】
そして、この状態で、回転保持体２２を前進させ、それに伴って後押さえ２０の後押さえ基部２０４を後開放位置まで回転移動させる。そして、回転保持体２２の後保持部材２２３が大束Ａの後面中央付近に当接したら、回転保持体２２の前保持部材２２４を上方から下方へ大束Ａの前面中央付近まで回転移動させて、前保持部材２２４と後保持部材２２３とで大束Ａを挟持し、次いで、回転保持基部２２２を反時計回りに９０度回転させて、大束Ａの長手方向が前後に向くようにする。
【０１４５】
そして、回転保持体２２の前保持部材２２４を上方へ回転移動させて、９０度回転前の前面であった大束Ａの長手方向の右側面を開放しつつ、回転保持体２２を後退させる。このとき、回転保持体２２は回転保持基部２２２を時計回りに回転させつつ後退させ、後退しきったときには、回転保持基部２２２が９０度時計回りに回転し終わって、元の向きとなる。
【０１４６】
そして、回転保持部材２２の後退に伴って、後押さえ２０が後保持位置へと回転移動する。すると、後押さえ２０の後押さえ基部２０４に設けてある長手後押さえ部材２０５の先端部が、９０度回転後の大束Ａの左右側面後方部に当接し、大束Ａを左右から保持する。そして、ゲート機構１５のユニットに組み込まれている上押さえ１７が降下して、大束Ａを上方から押圧固定する。そして、この状態で、長手方向の結束の場合と同様の結束動作が開始される。
【０１４７】
そして、第２仕切り板３２を後退させて、切欠穴１６の下方を開放しつつ、駆動偏心カム３０を回転させて第１押さえ部材２５を上昇させ、ループガイド１５１の右下端部から送り出されている結束帯Ｂの先端部近傍をループガイド１５１の右下端部近傍で第１仕切り板３１との間に挟持して保持固定し、その後、駆動偏心カム３０の動作を停止させる。そして、ループガイド１５１の内側ループガイド１５３を前方へスライド移動させてループガイド１５１を開放する。
【０１４８】
すると、ループガイド１５１内の結束帯Ｂは自重で外側ループガイド１５４の後方側の側壁に案内されながら、大束Ａの結束位置へゆっくり降下し始める。そのとき、所定時間（１〜数秒程度）の間、駆動モータ２９と駆動ローラ３０７の動作を完全に停止し、その後、装置本体１下部の保留部３０２と装置本体１上部の結束機構２の間の下部搬送路３０３の駆動ローラ３０７によって、ループを形成している結束帯Ｂを送り出し方向上流側へ引き戻す。このときの引き戻し速度は、通常のモードに比べてゆっくりとした速度とし、ゆっくりと引き戻し動作を行う。そして、結束帯Ｂは、先端部が第１押さえ部材２５によって保持固定されている状態で引き戻されることにより、大束Ａの周囲の結束帯Ｂのループ径が小さくなって、大束Ａの周囲に密着する手前の状態で、駆動ローラ３０７の引き戻し力の負荷が所定以上に大きくなると、駆動ローラ３０７の回転速度を通常モードの引き戻し速度まで速めるか、引き戻し力を強めて、結束帯Ｂを引き締める。これで、結束帯Ｂは大束Ａの周囲に密着した状態となる。そして、所定時間巻き締めを行った後、駆動偏心カム３０の動作を再開させる。
【０１４９】
そして、駆動偏心カム３０が回転することによって、第２押さえ部材２７が上昇し、ループを形成している結束帯Ｂの先端部と、その下方に重畳する結束帯Ｂを重ね合わせた状態で第１仕切り板３１との間に挟持して保持固定する。そして、さらに駆動偏心カム３０が回転して、第３押さえ部材２８が上昇し、第１押さえ部材２５の結束帯通路２６内で結束帯Ｂを結束帯通路２６の天井部と第３押さえ部材２８との間に挟持して保持固定する。これにより、第２押さえ部材２７と第１押さえ部材２５との間で、結束帯Ｂが緊張した状態で保持固定される。
【０１５０】
そして、さらに駆動偏心カム３０が回転することにより、カッター２３が上昇して、第２押さえ部材２７と第１押さえ部材２５との間の、第１押さえ部材２５の近傍位置で、結束帯Ｂが切断され、次いで、ヒータ２４が上昇して、切断されて送り出し方向上流側から切り離されたループ状の結束帯Ｂの送り出し方向上流側の端部と、その上方に位置する結束帯Ｂの先端部との重畳部分をヒータ２４の熱により溶着固定する。
【０１５１】
そして、さらに駆動偏心カム３０が回転して、第１押さえ部材２５、第２押さえ部材２７、第３押さえ部材２８、ヒータ２４、カッター２３をそれぞれ降下させて、結束テープＢを開放し、その後、第１仕切り板３１を結束帯Ｂと大束Ａの下面との間から引き抜く。そして、前押さえ１８を回転させて前開放位置へ移動させると共に、上押さえ１８を上昇させて、大束Ａを開放する。これで、長手方向の中央部における短辺方向の結束が完了する。
【０１５２】
その後、内側ループガイド１５３を後側へスライド移動させてループガイド１５１を閉鎖し、ループガイド１５１の搬送路１５２を形成すると共に、第１仕切り板３１を突出させて切欠穴１６を塞ぎ、第２仕切り板３２も突出させて、第１仕切り板３１と第２仕切り板３２とで切欠穴１６の部分にループガイド１５１の右下端部から続く搬送路を再び形成することで、結束待機状態に戻る。これで、低速モードでの長手方向の中心線に沿った結束と、長手方向の中央部における短辺方向の結束の両方が完了となる。
【０１５３】
低速モードによれば、ループガイド１５１を開放して結束帯Ｂを解放した後、所定時間動作を停止し、その後、結束帯Ｂをゆっくり引き戻す工程を経て被結束物である大束Ａの周囲に密着させることで、解放後の結束帯Ｂの動作を安定させて、被結束物の定められた位置へ結束帯を導くことができ、より正確な結束を行うことが可能となる。
【０１５４】
なお、本実施形態では、低速モードで、ループガイド開放後に所定時間だけ駆動モータ２９と駆動ローラ３０７を停止させているが、駆動モータ２９のみを停止させ、駆動ローラ３０７については、低速で巻き戻し動作を行うようにしてもよい。また、本実施形態では、低速モードで、駆動ローラ３０７の回転速度を複数段階に分けて駆動しているが、低速のみの一段階でもよい。
【符号の説明】
【０１５５】
２  結束機構
３  収納送り出し機構
９  保持機構
１２  載置台
１５  ゲート機構
１７  上押さえ（圧縮部材）
４０  下押さえ（押圧機構）
１５１  ループガイド
１５３  内側ループガイド
１５４  外側ループガイド
１５５  通し穴
１７３  第１の切欠部
１７４  第２の切欠部
４０２  平面ガイド部
４０３  圧縮バネ
４０５  支持軸
４０８  ベアリングガイド部
Ａ  大束
Ｂ  結束帯
【図１】
0005415303.tif 000002
【図２】
0005415303.tif 000003
【図３】
0005415303.tif 000004
【図４】
0005415303.tif 000005
【図５】
0005415303.tif 000006
【図６】
0005415303.tif 000007
【図７】
0005415303.tif 000008
【図８】
0005415303.tif 000009
【図９】
0005415303.tif 000010
【図１０】
0005415303.tif 000011
【図１１】
0005415303.tif 000012
【図１２】
0005415303.tif 000013
【図１３】
0005415303.tif 000014
【図１４】
0005415303.tif 000015
【図１５】
0005415303.tif 000016
【図１６】
0005415303.tif 000017
【図１７】
0005415303.tif 000018